(57)【要約】【課題】ダクトが筺体に接続される空調設備において、ダクトの接続作業を容易に行える空調設備とその設置方法を提供する。【解決手段】上部又は側部にダクト１１が連結される筺体１２と、配線１４を介して筺体１２内と接続された制御基板１５と、制御基板１５が取り付けられた基板収容部材１６とを備えた空調設備１０であって、筺体１２のダクト１１が連結された上部又は側部に基板収容部材１６を固定する部材Ａ２２と、基板収容部材１６を筺体１２に連結して基板収容部材１６の可動範囲を制限する部材Ｂ３１とを備え、部材Ａ２２による基板収容部材１６の固定が解除され、ダクト１１の連結位置から遠ざかる方向に移動した基板収容部材１６を、配線１４に応力が生じない状態で、部材Ｂ３１によって保持する。【選択図】図１
2014048011.tif 000002
【特許請求の範囲】
【請求項１】
上部又は側部にダクトが連結される筺体と、配線を介して前記筺体内と接続された制御基板と、前記制御基板が取り付けられた基板収容部材とを備えた空調設備であって、
前記筺体の前記ダクトが連結された上部又は側部に前記基板収容部材を固定する部材Ａと、前記基板収容部材を前記筺体に連結して該基板収容部材の可動範囲を制限する部材Ｂとを備え、前記部材Ａによる前記基板収容部材の固定が解除され、前記ダクトの連結位置から遠ざかる方向に移動した前記基板収容部材を、前記配線に応力が生じない状態で、前記部材Ｂによって保持することを特徴とする空調設備。
【請求項２】
請求項１記載の空調設備において、前記部材Ｂは、全体又は一部が非金属によって形成されていることを特徴とする空調設備。
【請求項３】
請求項１又は２記載の空調設備において、前記部材Ｂは、一側に前記筺体に固定される連結部Ｃを、他側に前記基板収容部材に固定される連結部Ｄを備え、前記基板収容部材は、前記連結部Ｄが回動することで、前記ダクトの連結位置から遠ざかる方向に移動することを特徴とする空調設備。
【請求項４】
請求項１〜３のいずれか１項に記載の空調設備において、前記部材Ｂは、前記部材Ａと共に前記基板収容部材を前記筺体の上部に固定することを特徴とする空調設備。
【請求項５】
上部又は側部にダクトが連結される筺体と、配線を介して前記筺体内と接続された制御基板と、前記制御基板が取り付けられた基板収容部材とを備えた空調設備であって、
前記筺体の前記ダクトが連結された上部又は側部に前記基板収容部材を固定する部材Ａと、前記筺体の側部に設けられたフック機構とを備え、前記部材Ａによる前記基板収容部材の固定が解除され、前記ダクトの連結位置から遠ざかる方向に移動した前記基板収容部材を、前記配線に応力が生じない状態で、前記フック機構によって前記筺体の側部に掛止することを特徴とする空調設備。
【請求項６】
制御基板を取り付けた基板収容部材が上部又は側部に固定される筺体に、ダクトを連結する空調設備の設置方法であって、
平面視して一側が開放された収容スペース内に前記筺体を配置する工程と、
前記筺体に固定されていた前記基板収容部材の固定を解除する工程と、
前記収容スペースの開放側に前記基板収容部材を移動させ、該基板収容部材を前記ダクトの連結位置から遠ざける方法に移動する工程と、
前記制御基板と前記筺体内を接続する配線に応力が生じない状態で、前記基板収容部材を、該基板収容部材と前記筺体を連結する部材Ｂによって保持し、前記ダクトを、前記筺体の該基板収容部材が固定されていた上部又は側部に連結する工程とを有することを特徴とする空調設備の設置方法。
【発明の詳細な説明】
【技術分野】
【０００１】
本発明は、建屋内の空気調和を行う空調設備とその設置方法に関する。
【背景技術】
【０００２】
従来、１台の室内機と複数の部屋をダクトで接続し、１台の室内機から複数の部屋に空気を送って空気調和（即ち、空気の温度、湿度、清浄度の調整）を行う空調設備が採用されており、その具体例が例えば特許文献１に記載されている。
特許文献１では、２台の室内機がそれぞれ屋根裏及び階段下に配置され、屋根裏に設置された室内機によって２階にある複数の部屋の空気調和を行い、階段下に設けられた室内機によって１階にある複数の部屋の空気調和を行う。
１台の室内機で複数の部屋の空気調和を行うと、建屋内に設置される室内機の数が減り、空調設備を導入する際のイニシャルコストを抑制することができる。
【０００３】
室外機に接続された室内機の設置場所は、屋根裏及び階段下に限定されず、居住空間内やクローゼット内に室内機を設置する専用の収容スペースを設けることもある。この場合、居住空間として、あるいは、クローゼットとして使用可能な空間を広く確保すべく、室内機用の収容スペースは、平面視して、その収容スペースの外縁と室内機の筺体とが近接するように設計される。
そして、空調設備を設置する際、作業者は、室内機用の収容スペースの外に立って、室内機用の収容スペース内にある室内機に種々の作業、例えば、ダクトの室内機への接続作業を行うので、室内機用の収容スペースは、平面視して一側が開放可能であるのが好ましい。
【先行技術文献】
【特許文献】
【０００４】
【特許文献１】特開２０００−２８３４９５号公報
【発明の概要】
【発明が解決しようとする課題】
【０００５】
ところで、室内機には制御基板が設けられるが、室内機の筺体内は空気の流路やファン等があって制御基板を設けるスペースの確保が困難なことがある。
そして、室内機を室内機用の収容スペースに入れた際に、その収容スペースの開放側と基板収容部材との間でダクトが室内機の筺体に接続されていると、作業者と基板収容部材の間にダクトがあって、ダクトが室内機の筺体に接続されている状態では、基板収容部材内の制御基板の点検や修理を行うのが困難である。
【０００６】
このことから、本願の発明者らは、基板収納部材を室内機の筺体外に配置した状態で筺体に取り付け、しかも、室内機用の収容スペースの開放側とダクトの間に基板収容部材が位置するように、室内機を室内機用の収容スペースに配置するのがよいとの考えに至った。
しかしながら、基板収納部材を室内機の筺体外に配置した状態で筺体に取り付け、かつ、室内機用の収容スペースの開放側とダクトの間に基板収容部材を配置するには解決すべき課題があった。
【０００７】
即ち、室内機用の収容スペースの開放側とダクトの間に基板収容部材があると、基板収容部材の大きさによっては、ダクトを室内機の筺体に接続する際、基板収容部材が作業の妨げとなって、ダクトの接続に手間が掛かる。
しかも、空調設備は、制御基板が、室内機の筺体に固定された基板収容部材に収容され、かつ、配線によって筺体内の機器に接続された状態で、空調設備を設置する現場に運び込まれる。従って、配線の長さの制限によって、空調設備を設置する際に、基板収容部材を基板収容部材の取付け位置から所定の範囲を超えて移動することはできず、基板収容部材を床に置くことはできない。
この課題は、室内機及び室外機を備える空調設備に特有のものではなく、空気清浄機能のみを備え、筺体が１つの空調設備にも存在する。
【０００８】
本発明は、かかる事情に鑑みてなされるもので、ダクトが筺体に接続される空調設備において、ダクトの接続作業を容易に行える空調設備とその設置方法を提供することを目的とする。
【課題を解決するための手段】
【０００９】
前記目的に沿う第１の発明に係る空調設備は、上部又は側部にダクトが連結される筺体と、配線を介して前記筺体内と接続された制御基板と、前記制御基板が取り付けられた基板収容部材とを備えた空調設備であって、前記筺体の前記ダクトが連結された上部又は側部に前記基板収容部材を固定する部材Ａと、前記基板収容部材を前記筺体に連結して該基板収容部材の可動範囲を制限する部材Ｂとを備え、前記部材Ａによる前記基板収容部材の固定が解除され、前記ダクトの連結位置から遠ざかる方向に移動した前記基板収容部材を、前記配線に応力が生じない状態で、前記部材Ｂによって保持する。
【００１０】
第１の発明に係る空調設備において、前記部材Ｂは、全体又は一部が非金属によって形成されているのが好ましい。
【００１１】
第１の発明に係る空調設備において、前記部材Ｂは、一側に前記筺体に固定される連結部Ｃを、他側に前記基板収容部材に固定される連結部Ｄを備え、前記基板収容部材は、前記連結部Ｄが回動することで、前記ダクトの連結位置から遠ざかる方向に移動するのが好ましい。
【００１２】
第１の発明に係る空調設備において、前記部材Ｂは、前記部材Ａと共に前記基板収容部材を前記筺体の上部に固定するのが好ましい。
【００１３】
前記目的に沿う第２の発明に係る空調設備は、上部又は側部にダクトが連結される筺体と、配線を介して前記筺体内と接続された制御基板と、前記制御基板が取り付けられた基板収容部材とを備えた空調設備であって、前記筺体の前記ダクトが連結された上部又は側部に前記基板収容部材を固定する部材Ａと、前記筺体の側部に設けられたフック機構とを備え、前記部材Ａによる前記基板収容部材の固定が解除され、前記ダクトの連結位置から遠ざかる方向に移動した前記基板収容部材を、前記配線に応力が生じない状態で、前記フック機構によって前記筺体の側部に掛止する。
【００１４】
前記目的に沿う第３の発明に係る空調設備の設置方法は、制御基板を取り付けた基板収容部材が上部又は側部に固定される筺体に、ダクトを連結する空調設備の設置方法であって、平面視して一側が開放された収容スペース内に前記筺体を配置する工程と、前記筺体に固定されていた前記基板収容部材の固定を解除する工程と、前記収容スペースの開放側に前記基板収容部材を移動させ、該基板収容部材を前記ダクトの連結位置から遠ざける方法に移動する工程と、前記制御基板と前記筺体内を接続する配線に応力が生じない状態で、前記基板収容部材を、該基板収容部材と前記筺体を連結する部材Ｂによって保持し、前記ダクトを、前記筺体の該基板収容部材が固定されていた上部又は側部に連結する工程とを有する。
【発明の効果】
【００１５】
第１、第２の発明に係る空調設備及び第３の発明に係る空調設備の設置方法は、基板収容部材の固定が解除されて、ダクトの連結位置から遠ざかる方向に移動した基板収容部材を、配線に応力が生じない状態で保持する。従って、配線が損傷するのを防ぎ、かつ、基板収容部材による妨げを抑制した状態で、ダクトを室内機の筺体に接続する作業を容易に行うことができる。
【００１６】
第１の発明に係る空調設備において、部材Ｂの全体又は一部が非金属によって形成されている場合、部材Ｂの全体が金属によって形成されている場合に比べて、部材Ｂを介して筺体内の温度から基板収容部材に伝わる熱を抑制でき、筺体内の温度環境の変化によって制御基板に不具合が生じるのを防止可能である。
【００１７】
第１の発明に係る空調設備において、部材Ｂが、一側及び他側に筺体に固定される連結部Ｃ及び基板収容部材に固定される連結部Ｄをそれぞれ備え、基板収容部材が、連結部Ｄの回動によって、ダクトの連結位置から遠ざかる方向に移動する場合、基板収容部材を安定的に移動させることが可能である。
【００１８】
第１の発明に係る空調設備において、部材Ｂが、部材Ａと共に基板収容部材を筺体の上部に固定する場合、基板収容部材を筺体の上部に固定するための部材を少なくすることが可能である。
【図面の簡単な説明】
【００１９】
【図１】本発明の一実施の形態に係る空調設備の説明図である。
【図２】同空調設備の室内機の正面図である。
【図３】基板収容部材の室内機への取り付けを示す説明図である。
【図４】回動した基板収容部材が保持された状態を示す説明図である。
【図５】基板収容部材が室内機の上部に固定された状態を示す説明図である。
【図６】回動した基板収容部材が保持された状態を示す説明図である。
【図７】室内機の変形例を説明する説明図である。
【発明を実施するための形態】
【００２０】
続いて、添付した図面を参照しつつ、本発明を具体化した実施の形態につき説明し、本発明の理解に供する。
図１に示すように、本発明の一実施の形態に係る空調設備１０は、吹出しダクト（ダクトの一例）１１が筺体１２の上部に連結される室内機１３と、配線１４を介して筺体１２内と接続された制御基板１５と、内側に制御基板１５が取り付けられた基板収容部材１６とを備えている。以下、これらについて詳細に説明する。
【００２１】
空調設備１０は、図１に示すように、室内機１３と、室内機１３に接続された図示しない室外機を有している。
室内機１３は、図１、図２に示すように、上下に長い箱状の筺体１２を備え、その筺体１２内に、室外機に冷媒循環回路を介して接続された熱交換器１７と、筺体１２内に空気を取り込み、その空気を筺体１２の外に送り出すファン１８とが配置されている。
筺体１２には、上部に、複数の空気吐出部材１９が取り付けられ、図１に示すように、複数の吹出しダクト１１がそれぞれ、この複数の空気吐出部材１９を介して筺体１２の上部に連結される。
【００２２】
室内機１３は、ファン１８の作動によって、筺体１２の側壁部の下側に設けられた吸込口２０から筺体１２内に空気を取り込み、筺体１２内に取り込んだ空気の温度を、熱交換器１７によって下げ、あるいは、上げる。
熱交換器１７を通過して温度が降下、あるいは上昇した空気は、空気吐出部材１９を介して、吹出しダクト１１に送られ、被空調空間に供給される。
【００２３】
ファン１８には、制御基板１５が配線１４を介して接続されている。制御基板１５は、ファン１８の制御を行う他、図示しない操作盤からの入力操作に従って、冷房運転を行うか、暖房運転を行うかを決定し、空調設備１０が備える種々の機器を制御する。
室内機１３内には、ファン１８及び熱交換器１７に加え、図示しない温度センサが設けられ、この温度センサも、ファン１８と制御基板１５を接続する配線１４とは別の配線１４によって制御基板１５に接続されている。
【００２４】
制御基板１５は、箱状の基板収容部材１６内に取り付けられ、基板収容部材１６は、図１、図２に示すように、複数の螺子部材（部材Ａの一例）２２によって筺体１２の上部に固定されている。
複数の空気吐出部材１９は、筺体１２の上部に一列に並べられ、図１に示すように、各空気吐出部材１９に連結される吹出しダクト１１と共に断熱材２３によって覆われる。
基板収容部材１６は、空気吐出部材１９が一列に並べられた場所から離れた位置で筺体１２の上部に固定され、筺体１２に固定された状態で空気吐出部材１９より高くなるように設計されている。
なお、複数の配線１４は、基板収容部材１６外、かつ、筺体１２外に配置された部分が、カバー材２１によって覆われ損傷の防止がなされている。
【００２５】
筺体１２は、上下及び前後左右にそれぞれ金属製の板材を備え、この複数の板材はそれぞれ断熱材によって覆われており、筺体１２は、筺体１２内が筺体１２外から受ける温度の影響を抑制する設計になっている。
以下、図３に示すように、筺体１２の上部を形成する板材及び断熱材を、それぞれ板材２４及び断熱材２５とし、４面ある筺体１２の側壁部（側部）のうちの１面を形成する板材及び断熱材を、それぞれ板材２４ａ及び断熱材２５ａとして、説明を続ける。
ここで、筺体１２の上部に固定された基板収容部材１６は、複数の空気吐出部材１９が並べられた領域と、板材２４ａの上位置との間にあって、複数の空気吐出部材１９に比べて板材２４ａの近くに位置している。
【００２６】
水平配置された板材２４は、外周部が上側に折り曲げられ、この折り曲げられた部分と鉛直方向に配置された板材２４ａが当接した状態で、板材２４と板材２４ａは螺子部材２６によって連結されている。
板材２４には、板材２４ａの近傍に、断面Ｌ字に折り曲がった金属板２７が、溶接、螺子、カシメ等によって固定されている。金属板２７は、板材２４に上側から当接して固定された水平部２８と鉛直方向に配置された鉛直部２９を備え、鉛直部２９には、螺子部材３０によって、蝶番（部材Ｂの一例）３１が固定されている。
【００２７】
蝶番３１は複数あって、各蝶番３１は、一側に金属板２７の鉛直部２９に当接して固定された連結部３２（連結部Ｃ）を備え、他側に、基板収容部材１６の底部１６ａに上側から当接した連結部３３（連結部Ｄ）を有している。連結部３３は、螺子部材３５によって、基板収容部材１６の底部１６ａに固定されている。従って、基板収容部材１６は、この蝶番３１によって、金属板２７を介して板材２４に連結されている。
【００２８】
基板収容部材１６の底部１６ａは一側に複数の貫通孔３４が形成されている。複数の蝶番３１はそれぞれ、この複数の貫通孔３４を挿通し、連結部３２が基板収容部材１６の外に配置され、連結部３３が基板収容部材１６の内側に配置された状態で設けられている。
各蝶番３１は、金属板２７を介して、基板収容部材１６を板材２４に連結し、螺子部材２２と共に基板収容部材１６を筺体１２の上部に固定している。
【００２９】
そして、各蝶番３１は連結部３２、３３の間が折り曲げ可能に設計されているので、螺子部材２２による基板収容部材１６の筺体１２への固定を解除することによって、図４に示すように、連結部３３は基板収容部材１６と共に回動可能となる。
基板収容部材１６は、図５、図６に示すように、筺体１２の上部に固定されていた状態から連結部３３と共に略９０°回動して、複数の蝶番３１によって保持される。複数の蝶番３１は、基板収容部材１６が略９０°回動して保持された状態を超えて回動しないように、基板収容部材１６の可動範囲を制限している。
【００３０】
基板収容部材１６が略９０°回動して、複数の蝶番３１によって保持された際、配線１４には、制御基板１５及び基板収容部材１６の荷重が掛かっておらず、応力が生じていない。配線１４に応力が生じると、配線１４が断線したり、配線１４が制御基板１５から外れたりする不具合を招くので、配線１４に応力を生じさせないことは、不具合の発生を防ぐために有効である。
基板収容部材１６は、略９０°回動して複数の蝶番３１により保持された状態で、筺体１２の上部に固定されていたときより最高点の位置が低くなる。
【００３１】
このように、各蝶番３１は、回動した基板収容部材１６を所定の配置で保持する機能と、螺子部材２２と共に基板収容部材１６を筺体１２の上部に固定する機能とを兼ね備えている。従って、回動した基板収容部材１６を保持する機能のみを蝶番３１に備えさせる場合に比べ、空調設備１０が有する部材の数を減らすことができる。仮に、蝶番３１が、螺子部材２２と共に基板収容部材１６を筺体１２の上部に固定する機能を備えていない場合、基板収容部材１６を筺体１２に固定する螺子部材等を追加する必要があるためである。
また、基板収容部材１６は、各蝶番３１の連結部３３と共に回動することで、吹出しダクト１１の連結位置から遠ざかる方向に移動することになる。
【００３２】
本実施の形態では、蝶番３１は、全体が合成樹脂によって形成され、筺体１２内から蝶番３１を介して基板収容部材１６に伝わる熱を抑制している。蝶番３１を形成する素材は、非金属であればよく、例えば、天然樹脂によって蝶番３１を形成することもできる。そして、蝶番３１は、全体が非金属によって形成される必要はなく、蝶番３１の一部を非金属によって形成し、他の部分を金属によって形成して、伝熱性を抑制した設計にすることもできる。
複数の蝶番３１を介して筺体１２内の温度が基板収容部材１６に伝わると、基板収容部材１６、制御基板１５及び配線１４に結露が生じて不具合が生じるおそれがあるので、各蝶番３１の伝熱性を抑制することは、制御基板１５を正常に保つ上で有効である。
【００３３】
ここで、基板収容部材１６を筺体１２に連結する部材Ｂは、蝶番に限定されない。部材Ｂは、吹出しダクト１１の連結位置から遠ざかる方向に移動した基板収容部材１６を、配線１４に応力が生じない状態で保持できるものであればよく、例えば、繊維を編んで形成された帯状部材や、合成樹脂、皮革等によって形成された帯状部材を、部材Ｂとして採用することもできる。
【００３４】
次に、室内機１３に吹出しダクト１１を連結する空調設備１０の設置方法について説明する。
基板収容部材１６が筺体１２の上部に固定された室内機１３は、図２、図５に示すように、平面視して一側が開放された収容スペース３６内に作業者によって配置される。室内機１３は、断熱材２５ａが収容スペース３６の開放側に近接し、基板収容部材１６が複数の空気吐出部材１９に比べて収容スペース３６の開放側に近くなる配置で、収容スペース３６内に設置される。
【００３５】
室内機１３を収容スペース３６に配置した後、作業者は、螺子部材２２を取り外して、筺体１２の上部に固定されていた基板収容部材１６の固定を解除し、基板収容部材１６に対して手で力を与えて、基板収容部材１６を収容スペース３６の開放側に回動させる。
作業者によって回動させられた基板収容部材１６は、図６に示すように、吹出しダクト１１の連結位置から遠ざかる方向に略９０°回動した位置で、配線１４に応力が生じない状態で、複数の蝶番３１によって保持され、作業者は基板収容部材１６から手を放す。
【００３６】
作業者は、基板収容部材１６を放して自由になった手で、図１に示すように、複数の吹出しダクト１１を複数の空気吐出部材１９にそれぞれ接続して筺体１２の上部に連結し、複数の吹出しダクト１１及び複数の空気吐出部材１９を断熱材２３によって覆う。
その後、作業者は、基板収容部材１６を手で押して回動させ基板収容部材１６を固定する位置に戻し、螺子部材２２により基板収容部材１６を筺体１２の上部に固定し、収容スペース３６の開放側を板材（本実施の形態では化粧板）３７によって覆う。
収容スペース３６の開放側を塞ぐことによって、室内機１３内の空気の流動音やファン１８の作動音等が居住空間に漏れるのを抑制可能である。
【００３７】
ここで、基板収容部材１６が複数の空気吐出部材１９から離れた位置で複数の蝶番３１によって保持された状態で、作業者は吹出しダクト１１を空気吐出部材１９に接続する作業と断熱材２３で吹出ダクト１１及び空気吐出部材１９を覆う作業を行う。従って、作業者は、基板収容部材１６による作業の妨げが抑制された状態で、吹出しダクト１１の接続作業と断熱材２３の取り付け作業を行うことができ、結果として、空調設備１０の設置時間を短縮可能である。
【００３８】
ここまで、室内機の筺体の上部から取り外した基板収容部材を、基板収容部材を筺体に連結する部材Ｂによって保持する実施の形態を説明したが、部材Ｂを用いずに基板収容部材を保持するようにしてもよい。
室内機１３の変形例である室内機４０は、図７に示すように、筺体１２の側壁部に設けられたフック機構４１を備え、基板収容部材４２にはこのフック機構４１に対応する開口４３が形成されている。
【００３９】
作業者は、空気吐出部材１９に図示しない吹出しダクトを接続するにあたり、まず、螺子部材２２による基板収容部材４２の固定を解除し、筺体１２の上部から基板収容部材４２を取り外し、吹出しダクトの連結位置から遠ざかる方向に基板収容部材４２を移動する。
そして、作業者は、基板収容部材４２の開口４３にフック機構４１を挿入させて、配線１４に応力が生じない状態で、基板収容部材４２を筺体１２の側壁部に掛止する。
【００４０】
室内機４０では、基板収容部材４２が螺子部材２２によってのみ筺体１２の上部に固定されるので、室内機４０は、室内機１３に比べて、多くの螺子部材２２を用いて基板収容部材４２を筺体１２の上部に固定することになる。
なお、図７では、室内機４０において、室内機１３と同様の構成については、同様の符号を付している。
【００４１】
以上、本発明の実施の形態を説明したが、本発明は、上記した形態に限定されるものでなく、要旨を逸脱しない条件の変更等は全て本発明の適用範囲である。
例えば、空調設備は、空気の温度調整を行うものに限定されず、空気を清浄にするものや、湿度調整を行うものであってもよく、室外機を備えない筺体が１つのものであってもよい。
また、ダクトは、筺体の側部に接続してもよく、その際には、ダクトが接続された側部に基板収容部材を固定する場合に、ダクトの接続を容易に行えるという効果を得ることができる。
そして、筺体の上部又は側部に接続されるのは、吹出しダクトに限定されず、吸込みダクトを筺体の上部又は側部に接続することもできる。
【符号の説明】
【００４２】
１０：空調設備、１１：吹出しダクト、１２：筺体、１３：室内機、１４：配線、１５：制御基板、１６：基板収容部材、１６ａ：底部、１７：熱交換器、１８：ファン、１９：空気吐出部材、２０：吸込口、２１：カバー材、２２：螺子部材、２３：断熱材、２４、２４ａ：板材、２５、２５ａ：断熱材、２６：螺子部材、２７：金属板、２８：水平部、２９：鉛直部、３０：螺子部材、３１：蝶番、３２、３３：連結部、３４：貫通孔、３５：螺子部材、３６：収容スペース、３７：板材、４０：室内機、４１：フック機構、４２：基板収容部材、４３：開口
【図１】
2014048011.tif 000003
【図２】
2014048011.tif 000004
【図３】
2014048011.tif 000005
【図４】
2014048011.tif 000006
【図５】
2014048011.tif 000007
【図６】
2014048011.tif 000008
【図７】
2014048011.tif 000009